(57)【要約】【課題】記録（再生）処理終了後に光学ヘッドを最適位置で待機させることで、迅速で確実な記録処理を可能とする光ディスク装置を提供する。【解決手段】情報記録層を有する光ディスクに対してレーザ光を照射し又は反射波を受光して記録処理又は再生処理を行う光学ヘッドと、記録処理又は再生処理が終了した後に、光ディスクからの反射波を光学ヘッドで検出し、その反射率の高さ又は反射率の分布に基づいて、未記録領域と記録処理が終わった記録領域とに識別し、更に、未記録領域の境界線から記録領域側へ２トラック又は２トラック以上手前の位置に、待機位置を決定する待機位置決定手段と、待機位置に光学ヘッドを移動して待機するべく制御する制御手段とをもつ光ディスク装置。【選択図】図１
2005332580.tif 000002
【特許請求の範囲】
【請求項１】
情報記録層を有する光ディスクに対してレーザ光を照射し又は反射波を受光して記録処理又は再生処理を行う光学ヘッドと、
前記記録処理又は再生処理が終了した後に、前記光ディスクからの反射波を前記光学ヘッドで検出し、その反射率の高さ又は反射率の分布に基づいて、未記録領域と記録処理が終わった記録領域とに識別し、更に、前記未記録領域の境界線から前記記録領域側へ２トラック又は２トラック以上手前の位置に、前記待機位置を決定する待機位置決定手段と、
前記待機位置に前記光学ヘッドを移動して待機するべく制御する制御手段と、
を具備することを特徴とする光ディスク装置。
【請求項２】
情報記録層を有する光ディスクに対してレーザ光を照射し又は反射波を受光して記録処理又は再生処理を行う光学ヘッドを有する光ディスク装置の待機方法において、
前記記録処理又は再生処理が終了した後に、前記光ディスクからの反射波を前記光学ヘッドで検出し、その反射率の高さ又は反射率の分布に基づいて、未記録領域と記録処理が終わった記録領域とに識別し、更に、前記未記録領域の境界線から前記記録領域側へ２トラック又は２トラック以上手前の位置に、前記待機位置を決定し、
前記待機位置に前記光学ヘッドを移動して待機するべく制御することを特徴とする光ディスク装置の待機方法。
【発明の詳細な説明】
【技術分野】
【０００１】
本発明は、光ディスクの記録・再生処理の終了後に、未記録領域の手前に光学ヘッドを待機させる光ディスク装置及び光ディスク装置の待機方法に関する。
【背景技術】
【０００２】
最近、ＤＶＤ（Digital Versatile Disc）等の光ディスク装置が開発され普及してきており、動作信頼性や使い勝手等に、更なる付加価値が求められている。この一例として、特許文献１（特開平１０−７９１２６号公報）に記載されている光ディスク装置においては、片面に複数層の情報記録面が存在する光ディスクを再生する際に、光ディスクがＯＴＰかＰＴＰかを判断し、再生時に一時停止命令を受けたとき、内周又は外周へ１トラックジャンプして待機するものである。
【０００３】
この公報に記載された光ディスク装置は、再生光ディスクに限定した処理を行っており、１トラックジャンプによって比較的安定したサーボ状態を保持することができる。
【０００４】
しかし、記録型の光ディスクでは、記録領域と未記録領域で記録層の反射率が異なるため、記録領域と未記録領域の境界でサーボ状態を保持することは、サーボ信号のレベルが変動する領域でサーボをかけることになり、極めて不安定な状態であるといえる。又、境界領域から記録を開始する際に、必要な情報、例えばエラー訂正コードなどの必要な情報を記録開始アドレスでの適切に生成するために、最長で２トラック以上手前のトラックへ戻って、情報を再生してから記録が行われる必要がでてくる。
【特許文献１】特開平１０−７９１２６号公報。
【発明の開示】
【発明が解決しようとする課題】
【０００５】
すなわち、上述した従来の光ディスク装置は再生専用であり、光ディスク記録装置特有の課題を解決することができない。これは、情報記録層における未記録の領域と記録済み領域とでは、光ディスクの特性によって反射率が異なるためである。光ディスクの特性としては、ＤＶＤ−ＲＡＭなどのように、データ記録することによって反射率が上がる（Low-to-High）特性と、記録によって反射率が下がる（High-to-Low）特性の２種類の特性があるが、この反射率の変化は２倍ないし３倍以上となることが一般的で、記録領域と未記録領域の境界領域では、各種信号がこの反射率の変化の影響を受けることになる。
【０００６】
この結果、記録領域と未記録領域の境界領域で精密なサーボを行うことが難しくなり、従来の再生型光ディスクで行われていたように、再生終了領域から１トラック戻った位置で待機していると、待機のトラックホールド状態で未記録領域と記録領域の両方の領域にトラック位置決めされる可能性がある。従って、特に記録処理の場合は、次の命令を待機している間、サーボ動作を安定して維持することができないという問題がある。
【０００７】
更に、記録型の光ディスクの場合、情報の記録・再生を行うためには、記録・再生要求が発生してから記録・再生処理を開始するまでの応答時間が高速であることが求められるが、従来装置では、光学ヘッドが未記録領域で待機しているわけではないので、記録命令を受けても直ちに記録処理を行うことができないという問題がある。
【０００８】
更に記録処理の場合は、前に記録されたデータの中に埋め込まれたエラー訂正コードを読取った上で生成されることがある。この動作をスムースに実現するためには、読取るべきエラー訂正コードが記録された位置において待機しておくのが最適の方法であり、従来のように１トラック戻っておくだけでは、必ずしもエラー訂正コードを迅速に読み出すことができないという問題がある。
【０００９】
この発明は、記録型光ディスクの記録（再生）処理終了後に光学ヘッドを最適位置で待機させることで、次の命令に応じて安定した動作で記録（再生）処理を行うことができる光ディスク装置及び光ディスク装置の待機方法を提供することを目的とする。
【課題を解決するための手段】
【００１０】
本発明は、上記課題を解決するべく、情報記録層を有する光ディスクに対してレーザ光を照射し又は反射波を受光して記録処理又は再生処理を行う光学ヘッドと、前記記録処理又は再生処理が終了した後に、前記光ディスクからの反射波を前記光学ヘッドで検出し、その反射率の高さ又は反射率の分布に基づいて、未記録領域と記録処理が終わった記録領域とに識別し、更に、前記未記録領域の境界線から前記記録領域側へ２トラック又は２トラック以上手前の位置に、前記待機位置を決定する待機位置決定手段と、前記待機位置に前記光学ヘッドを移動して待機するべく制御する制御手段とを具備することを特徴とする光ディスク装置である。
【００１１】
上記の光ディスク装置においては、２トラック又はそれ以上の位置で待機することで、記録領域と未記録領域の境界付近での動作不安定を回避し、更に、記録処理の際の応答時間や、エラー訂正コードの処理時間をも確保することで安定した動作を可能とする。更に、省電力状態においては、更に所定量の退避を行うことで、省電力状態を解除して再びサーボ状態に入るときに未記録領域にサーボしてしまう危険を回避するものである。  
すなわち、未記録領域Ｍと記録領域Ｒとでは、情報記録層の反射率が異なり、サーボ用の信号のレベルが大きく異なることが予想される。結果的に、サーボ状態が不安定になる可能性があり、安定かつ高速に省電力状態から復帰するには対策が必要がある。この対策として、２トラック以上の退避に加え更に所定量の退避を行って省電力状態に入ることで、待機状態にあったシステムコントローラに情報の記録又は再生要求が来ても、瞬時に安定したサーボ状態に入ることが可能となる。
【発明の効果】
【００１２】
２トラック又はそれ以上の位置で待機することで、記録領域と未記録領域の境界付近での動作不安定を回避し、更に、記録処理の際の応答時間や、エラー訂正コードの処理時間をも確保することで安定した動作を可能とする。
【発明を実施するための最良の形態】
【００１３】
以下、図面を参照しながら本発明に係る光ディスク装置及び光ディスク装置の待機方法について詳細に説明する。
【００１４】
＜本発明に係る光ディスク装置＞
本発明の第１実施形態に係る光ディスク装置の構成について説明する。図１は、本発明の第１実施形態に係る光ディスク装置の一例を示すブロック図、図２は、本発明の第１実施形態に係る光ディスクの一例を示すブロック図、図３は、光ディスク装置の光学ヘッド等の配置を示す構成図、図４は、光ディスク装置の光学ヘッドの構成図である。ここでは、図２に示すような片面に２層の情報記録層を有し、各々の情報記録層の情報トラックが内周から外周へ連続記録が可能なシングルスパイラルのグルーブ構造１０１が設けられた光ディスクに記録処理を施す光ディスク装置について説明を行う。
【００１５】
本発明の第１実施形態に係る光ディスク装置が処理の対象とする光ディスクＤは、図２に示すように、情報記録層として相変化記録層を備えた書き換え型の媒体であり、本発明に係る光ディスク装置が有する対物レンズ５によって集光される光ビームで、情報の記録・再生が行われる第１の記録層３と第２の記録層４を有する記録媒体である。光ディスクＤは、光ディスク装置が有するスピンドルモータ２によって回転制御がされる。特に情報記録が行われる際には、回転線速を一定に保つＺＣＬＶ（Zoned Constant Linear Velocity）方式などが採用される。
【００１６】
更に、光学ヘッド１０は、所定の波長のレーザ光を光ディスクの所定の情報記録層に照射することにより、記録（マーク形成）を行う。この記録は、例えば記録マークのエッジに情報を持たせたマーク長記録方式により行われる。光学ヘッド１０に設けられたレーザ光源から出射されたレーザ光は、コリメートされて平行光となった後、図示しない光学素子を介して光学補正機構８に入射される。この光学補正機構８では、例えば情報記録層に形成される光学スポットが球面収差をもたないようにリレーレンズや液晶素子によって収差の補正を行う。この光学収差補正機構８で補正された光ビームは、更に立上げミラー７を介して対物レンズ５に入射され、光ディスクＤの所定の情報記録面に光学スポットを形成する。一方、情報記録面で反射された光ビームは、再び立上げミラー７を介して、その一部が光検出器９に入射される。この光検出器７は、複数に分割された検出セルの光電変換により、情報記録面に集光された光学スポットの目標位置に対する位置誤差の検出を行う。この位置誤差としては、情報記録面に対して焦点のあった光学スポットを形成するためのフォーカス位置誤差、その他トラック位置誤差、傾き誤差、球面収差誤差がある。
【００１７】
情報記録面には、情報記録・再生を行うための情報トラックが形成されており、この目標トラックに対する光ディスク半径方向の位置ずれがトラック位置誤差である。傾き誤差は、対物レンズ５によって照射される光ビームの光軸と光ディスクＤの法線とのずれ角で、この角度が大きいと光学スポットにコマ収差が発生し、スポット品位が下がることになる。最後に球面収差は、同じく光学スポットのスポット品位を劣化させる収差で、対物レンズ５によって集光される波面が球面からずれることによって発生する。
【００１８】
光ディスク装置では、上記の各種位置誤差を、光検出器１０と差分回路１１などを用い位置決め誤差検出回路１９によって検出し、適正な光学スポットが形成されるように補償制御器２０によってそれぞれの位置決め誤差に対応する制御操作量を算出し、光学補正機構制御回路２１、フォーカス機構制御回路２２、精位置決め機構制御回路２３、粗位置決め機構制御回路１７、傾き調整機構制御回路２４にそれぞれ制御操作量を入力する。各制御回路では、入力された制御操作量に基づき、光学スポットが目標位置に適正に形成されるように光学補正機構８、対物レンズ位置決め機構６、粗位置決め機構１２を駆動制御する。更に、差分回路１１からの出力が相対変位算出器１３と速度検出部１５とに与えられ、基準速度発生回路１４と速度検出器１５との出力が演算され、増幅器１６を経由して、粗位置決め機構制御回路１７に供給され、この出力が粗位置決め機構１２を駆動制御している。
【００１９】
このような光学ヘッド１０の駆動系の構成以外にも、光ディスク装置は、図示しない記録処理系、再生処理系、制御系の構成を有している。すなわち、光学ヘッド１０に接続される再生処理系の回路であるデータ再生回路や、記録処理系の回路であり光学ヘッド１０に内蔵される半導体レーザダイオードの発光を制御するレーザ制御回路、更にこれらの動作を司る制御部の構成であるＣＰＵや記憶領域であるＲＡＭやＲＯＭ、そして、外部装置とのデータ通信を行うインタフェース回路等を有している。
【００２０】
更に、図３に、本発明の第１実施形態の光ディスク装置の装置構成の一例が示され、図４に本発明の光ディスク装置の光学ヘッド１０の詳細な光学系の構成が示される。これらの図において、レーザ光源２８から出射したレーザ光がリレーレンズ８を用いた光学補正機構によって光学的に調整される。更に、誤差信号検出系へ光ディスクＤからの戻り光を走光するために、ハーフプリズム２９が用いられている。
【００２１】
＜第１実施形態＞  
第１実施形態は、一層又は複数層の記録層を有する光ディスクに対する光ディスク装置において、記録又は再生処理の終了後に、光学ヘッドを未記録領域の所定量だけ手前の位置に待機させる光ディスク装置及び光ディスク装置の待機方法を提供するものである。図５乃至図９は、光ディスク装置の光学ヘッドの待機位置の各例を示す図、図１０及び図１１は、光ディスク装置のレイヤージャンプを含む光学ヘッドの待機処理を説明するためのフローチャートである。
【００２２】
（本発明の光学ヘッドの待機方法の原理）
本発明は、情報記録層を有する記録用の光ディスクでは記録領域Ｒと未記録領域Ｍとは反射率が大きく異なるため、記録領域Ｒと未記録領域Ｍとの境界付近で光学ヘッドを待機させるとサーボが不安定となりやすいため、例えば、２トラックかそれ以上の距離をおいて、記録領域Ｒ側に光学ヘッドを待機することで動作安定性を確保しながら迅速な記録処理も同時に可能とするものである。
【００２３】
具体的には、このロウトゥハイ（Low to High）特性のメディアでは、未記録領域の反射率は１０％以下であり、一方記録領域の反射率は２０％以上となる。この場合、記録領域と未記録領域の境界付近に光学スポットを形成するサーボを行うと、未記録領域の低い反射率で反射される反射波の成分が記録領域の高い反射率で反射される成分に混入し、サーボされる中立位置が未記録領域の側にシフトしてしまう影響がある。このように未記録領域側に中立位置がシフトする場合、このシフトによってさらに未記録領域の影響を強く受ける、いわゆる正帰還の状態となり、サーボが非常に不安定になりやすい状態である。このように特にロウトゥハイ（Low to High）メディアで顕著になるサーボの不安定状態を回避するため、例えば、２トラックかそれ以上の距離をおいて待機し、未記録領域の反射波の成分の混入を避ける処理が行われる。なお、サーボ情報を得るための検出方法は、プッシュプル法やＤＰＤ法などがあり、多少後述するが、基本的には一般的な方法であるのでここでは説明を省略する。
【００２４】
記録用の光ディスクは、図６に示すように、記録領域Ｒである既に記録済みで記録不可能な領域、未記録領域Ｍである記録されておらず記録が可能な領域、記録可能領域Ｋである記録が一度は行われたが削除処理されており記録が可能な領域に少なくとも分類することができる。本発明に係る待機方法では、未記録領域Ｍが存在せず記録可能領域Ｋが存在すれば、記録可能領域Ｋの手前で光学ヘッドを待機させるものである。
【００２５】
しかし、図７に示すように複数の未記録領域Ｍが存在する場合や、図８や図９に示すように複数の記録可能領域Ｋが存在する場合等があり、その場合の待機位置を決定する際の優先順位を以下に示す。
【００２６】
（待機位置の優先順位）
待機位置の優先順位を図面を用いて以下に示すが、この優先順位は限定的なものではなく自由に選択することができるものである。しかし、使用状況に応じた一定の優先順位を定めておき、図１の待機位置決定回路２７により待機位置が決定される。
【００２７】
図５は基本的な記録用の光ディスクＤの一例を示しており、一つの未記録領域Ｍの例えば２トラック手前の位置に、待機位置が決定されている。この例では、基本的な待機位置が示されている。
【００２８】
図６は複数の記録層を有する記録用の光ディスクＤの一例を示しており、未記録領域Ｍが存在する第２の記録層４の未記録領域Ｍの例えば２トラック手前の位置に、待機位置が決定されている。記録が終了した記録層３に未記録領域Ｍがなく他の層にあれば、レイヤージャンプを行い、未記録領域Ｍの手前を待機位置とする。
【００２９】
図７は複数の記録層を有する記録用の光ディスクＤの一例を示しており、各層に未記録領域Ｍが存在するが、光学ヘッド１０側の第１の記録層３の未記録領域Ｍの例えば２トラック手前の位置に、待機位置が決定されている。原則として光学ヘッド１０側の層の未記録領域Ｍが優先される。しかし、光学ヘッド１０の反対側の層の未記録領域Ｍが選ばれるという優先順位も可能である。
【００３０】
図８は一つの記録層を有する記録用の光ディスクＤの一例を示しており、未記録領域Ｍが存在せず、記録可能領域Ｋが複数存在する。ここでは、記憶容量が大きい右側の記録可能領域Ｋの手前の位置に、待機位置が決定されている。原則として記憶容量が大きい方の記録可能領域Ｋが選ばれるが、記録可能領域Ｋの位置に応じて決定されるという優先順位も可能である。
【００３１】
図９は複数の記録層を有する記録用の光ディスクＤの一例を示しており、未記録領域Ｍが存在せず、記録可能領域Ｋが各層に存在する。ここでは、記憶容量が大きい第２の記録層４の記録可能領域Ｋの手前の位置に、待機位置が決定されている。原則として記憶容量が大きい方の記録可能領域Ｋが選ばれるが、記録可能領域Ｋの位置に応じて、光学ヘッド側の層の記録可能領域Ｋに決定されるという優先順位も可能である。
【００３２】
以上のように、一つの優先順位として、未記録領域Ｍを記録可能領域Ｋに優先する、複数の未記録領域Ｍが存在すれば光学ヘッド側の層の未記録領域Ｍさらに記録開始位置に近い方の未記録領域Ｍを優先する、複数の記録可能領域Ｋのみなら大きな記憶容量をもつ記録可能領域Ｋを優先する、という設定が可能である。
【００３３】
（処理フローチャート）
次に、上述した優先順位に応じて行われる本発明に係る待機方法の具体的な例をフローチャートを用いて詳細に説明する。
【００３４】
上記したように、目標位置に光学スポットが形成されて一連の情報の記録が行われるが、記録又は再生動作が終了したとき、待機動作に入って、新たに一連の情報の記録又は再生命令がシステムコントローラ２５に来るまで待機する。この待機処理のシーケンスについて、図１０及び図１１のフローチャートを用いて説明する。
【００３５】
まず情報の記録又は再生を行った後の待機方法の第１実施形態について図１０を参照しながら述べる。初めに情報の記録又は再生を行って、システムコントローラ２５で情報記録又は再生動作が終了したと判断した場合（ＳＴ１１）、記録情報管理部２６により現在光学スポットを形成している情報記録層の記録可能領域Ｋと未記録領域Ｍの容量を算出する（ＳＴ１２）。又、同時に、現在光学スポットを形成していない情報記録層の記録可能領域と未記録領域の容量も算出しておく（ＳＴ１３）。
【００３６】
（未記録領域と記録可能領域とを識別する方法）
ここで、未記録領域Ｍと記録可能領域Ｋとを識別する方法として、以下のパターンが考えられる。ここで、パターン２ａ、２ｂはマクロな視点でパターン３を捉えている。
【００３７】
パターン１
未記録領域  ：結晶状態または非晶状態が一様である領域
記録領域    ：結晶状態及び非晶状態が混在分布した領域
パターン２ａ
未記録領域  ：反射率が低い領域（例えば、１０％以下）
記録領域    ：反射率が高い領域（例えば、２０％以下）
パターン２ｂ
未記録領域  ：反射率が高い領域
記録領域    ：反射率が低い領域
パターン３
未記録領域  ：反射率が一様である領域
記録領域    ：反射率が異なる領域が混在分布した領域であり、上記反射率が一様である領域より平均的な反射率が高い、または低い領域
パターン４
未記録領域  ：色素が一様に分布し反射率が一様である領域
記録領域    ：一部の色素膜が変化し反射率が異なる状態が混在分布した領域
パターン５
未記録領域  ：光学スポットの反射面が平坦一様である領域
記録領域    ：上記平坦部が変形した凹凸を有する領域
未記録領域と記録領域との識別について、上述したようなパターンが考えられる。光学ヘッド１０の検出結果に応じて記録情報管理部２６は、特に、反射率の高さ、更に反射率の分布の程度を、一定の閾値と比較することにより、未記録領域Ｍと記録領域Ｋとを識別することができる。
【００３８】
これらの結果をもとに、待機位置判断回路２７では、先の優先順位に応じて、未記録領域Ｍへ移動できるかどうかを判断する（ＳＴ１４）。すなわち、記録層にそれぞれ移動できる未記録領域Ｍが存在するかどうかが判断され、未記録領域Ｍが存在しなければ、記録可能領域Ｋが存在するかどうかが判断される。ここで、未記録領域Ｍも記録可能領域Ｋも存在しなければ、現在位置で待機することとなる（ＳＴ２７）。
【００３９】
移動できる未記録領域Ｍ又は記録可能領域Ｋが存在すれば、その移動先のアドレスを特定する（ＳＴ１５）。現在光学スポットを形成している情報記録層が第１情報記録層３であり、第１情報記録層３に未記録領域Ｍが存在するかどうかを判断する（ＳＴ１６）。存在していると判断した場合、記録が終了したアドレスに相当する未記録領域Ｍと記録領域Ｒの境界領域から一定のトラック分、一例として２トラックかそれ以上だけ、記録済み領域側にあるトラックを目指してジャンプ動作を行う。以下、この動作を退避動作と呼ぶ。又、ここで、未記録領域Ｍが存在せず、記録可能領域Ｋだけであれば、記録可能領域の手前にアクセスするものである（ＳＴ１７）。
【００４０】
ジャンプが終了し、記録終了トラックより２トラック手前の所定のアドレスに到達したことを確認した後、光学スポットは光ディスクＤの回転ごとに１トラックジャンプすることによってそのトラックにホールドされて待機状態になる（ＳＴ１８）。
【００４１】
この時の所定トラックは、プッシュプル法やＤＰＰ法によって検出されるトラック位置決め誤差信号が、前記記録領域と未記録領域の境界領域の影響を受けないように決定されることが望ましく、短くは２トラックが適当な値となる。又、このトラックへホールドするためのジャンプ動作は、図２に示したように記録終了位置に略相当する１トラック内周のアドレス位置で開始される。このように少なくとも２トラック分の退避動作を行っておけば、記録領域Ｒと未記録領域Ｍの境界領域に存在するサーボ信号レベル変化の悪影響を回避することができ、安定な待機動作を実現することが可能となる。
【００４２】
又、上記した記録動作が終了した位置に、領域のロスなく記録を行う要求がシステムコントローラ２５に与えられたときも、情報の記録に必要で、記録開始領域以前の領域に既に記録された情報をスムースに再生することが可能となり、情報記録動作を開始する前に余計な動作を発生させずに高速な記録動作を実現することが可能となる。
【００４３】
なおここで、未記録領域Ｍに記録する動作終了後の場合は、記録終了位置が境界トラックとなるので、ステップＳＴ１７のステップ動作のアクセス動作は、第１の所定トラック数分手前のトラックにジャンプして戻ることで実現されることになる（ＳＴ１８）。
【００４４】
又、ステップＳＴ１６において、現在光学スポットを形成している情報記録層が第１の情報記録層３であり、第１の情報記録層には未記録領域Ｍが存在しておらず、第２の情報記録層４に未記録領域Ｍが存在していると判断した場合（ＳＴ１６）、レイヤージャンプを行うものである。すなわち、下記のように待機位置決定回路２７によって決定された所定の第２の情報記録層のアドレスへのアクセス動作を行う。まず、第２の情報記録層の未記録領域と記録領域の境界領域に相当する現在の情報記録層の略アドレスを記録情報管理部２６から検知する（ＳＴ１９）。このとき、偏心や２つの情報記録層貼り合せの軸ずれの影響を回避するため、上記略アドレスは境界領域に相当するアドレス（図６のＡ点に対応）に対して約０.１mm程度内周側のアドレス（図６のＢ'点）として与えられる。続いて、このアドレスに対して第１の情報記録層内でのアクセス動作（ＳＴ２０）が行われ、目標アドレスに到達後に、第２の情報記録層の所定のアドレス（Ｂ点）へレイヤージャンプが行われる（ＳＴ２１）。その後、フォーカス引込み動作やおよび諸サーボ動作の調整、トラック引込み動作が行われて（ＳＴ２２）、到達した第２の情報記録層のアドレスを読取る（ＳＴ２３）。そして、第２の情報記録層４の未記録領域Ｍの境界となるトラックから所定トラック数分手前のトラックへアクセス動作が実行される。又は、記録可能領域Ｋの手前へと、アクセス動作が実行される（ＳＴ２４）。次に、トラック引込みを行い（ＳＴ２５）、トラックホールド動作によってアクセスが終了し、図６が示すように待機状態に入る（ＳＴ２６）。
【００４５】
以上のレイヤージャンプの動作は、現在光学スポットを形成している情報記録層が第２の情報記録層４であり、第１の情報記録層３に未記録領域Ｍが存在していると判断した場合（ＳＴ１６）、第１の情報記録層３の境界領域へアクセスする場合にも、同様に行われ図７が示すような位置で待機状態に入ることとなる。
【００４６】
又、一方、図９に示すように、第１の情報記録層３にも第２の情報記録層４にも未記録領域Ｍが存在しないと判断した場合（ＳＴ１４）、待機位置決定回路２７ではこの２つの情報記録層の記録可能容量を比較して、容量が大きいと判断した情報記録層を待機状態の層として選択して、別の層又は現在の層の最も大きい記録可能領域Ｋの境界領域へアクセスする。図９では、第２の情報記録層４の記録可能領域Ｋへと光学ヘッドが移動されている。
【００４７】
以上のような手順により、本発明に係る光学ヘッドの待機方法が行われるものであり、記録処理又は再生処理が終了すると、光学ヘッドが未記録領域Ｍ又は記録可能領域Ｋの手前で待機することにより、確実で安定した記録処理が可能となる。
【００４８】
（光ディスク起動時）
本発明の第１実施形態の待機方法のシーケンスは、光ディスクＤの起動時、すなわち、光ディスクＤが挿入されて光ディスクの認識が行われた後に（ＳＴ１０）、図１１が示すように行うことも可能である。ここで、ステップＳＴ２７では、光学ヘッドの移動ができないときは、光ディスクの初期位置での待機が行われる。又、図５及び図８に示すように、光ディスクＤが第１の情報記録層３しか有さない場合でも、上記した図１０及び図１１のフローチャートに沿って同様に図に示す位置で待機することができる。
【００４９】
（省電力モード）
又、省電力モードとして、待機状態が一定の時間以上継続し、システムコントローラ２５へ記録又は再生の要求が来ないときは、光学スポットは更に記録領域側へ第２の所定トラック数だけ移動し、各種のサーボ状態をホールド又は開ループとして、フォーカスサーボのみかけた状態に保持する省電力状態に移行する。この第２の所定トラックは、トラック位置決めサーボが開ループとなってサーボがかからない状態となっても、光ディスクの偏心などの影響で光学スポットが前記境界領域に形成されることがないように決定されるべきで、偏心量が学習などの方法によって測定されているときは、この値から第２の所定トラック数が決定される。又、偏心量が測定できない場合は、一例として、０.１mm程度の値となることが好適である。
【００５０】
このように第２の所定のトラック数分の退避動作を行っていないと、省電力状態を解除して再びサーボ状態に入るときに、未記録領域にサーボしてしまう可能性がある。上述のように、未記録領域Ｍと記録領域Ｒとでは、情報記録層の反射率が異なり、サーボ用の信号のレベルが大きく異なることが予想される。結果的に、サーボ状態が不安定になる可能性があり、安定かつ高速に省電力状態から復帰するには対策が必要がある。この対策として上記したように第２の所定トラック数を設定し、省電力状態に入ることで、待機状態にあったシステムコントローラ２５に情報の記録又は再生要求が来ても、瞬時に安定なサーボ状態に入ることが可能となる。
【００５１】
なお、上記した１度目の未記録領域Ｍからの回避である第１の所定トラック数は、初めから第２の所定トラック数と同一となるように、やや大きめの値に設定することも可能である。
【００５２】
（その他）
なお、記録可能領域Ｋでは、情報の未記録領域は存在しないので、サーボ用の信号が未記録領域と記録領域の境界の悪影響を受けることはないが、記録動作の要求が来たときにスムースにエラー訂正コードなどの次の記録動作のために必要な情報を読取るために、上記の退避動作によって、第１の所定のトラック数分、最終記録が終了したトラックから戻る退避動作を行っておくことが望ましい。又、この場合は、省電力状態を想定して、第２の所定トラック数分更に退避する動作は行わなくても、サーボ状態は安定に復帰できるため、第２の所定トラック数分の退避動作は行わなくても構わない。
【００５３】
記録可能領域の残存容量によって、残存容量が所定の値以下、例えば１ＥＣＣブロックに相当する３２ＫＢ以下となったときは、記録動作は行えないと待機位置決定回路２７で判断して、再生動作に備えるため必ず第１の情報記録層へ戻るようにしてもよい。
【００５４】
なお、上記した未記録領域Ｍは、欠損（defect）などの影響であえて記録しなかった領域は含めないものとし、又、所定の容量未満の領域も含めないものである。又、仮想データを埋める要求で仮想的なデータが埋められている場合は、仮想データ記録済み領域は、未記録領域Ｍ又は記録可能領域Ｋとして扱うことができる。
【００５５】
又、情報の再生動作の終了を受けて待機動作に入るとき、この終了が一時停止命令などによって発生した場合は、上記した境界領域へアクセスせずに、終了時のトラックに対してトラックホールド動作を行うことができる。
【００５６】
又、情報の再生動作の終了を受けて待機動作に入るとき、一定期間が経過するまでは、再生動作が再開される可能性を加味して現在位置に待機するものとし、一定期間が経過すると、再生動作の再開がないとして、上述した未記録領域Ｍ又は記録可能領域Ｋへの光学ヘッドの移動を行うという動作モードを新たに設定することも可能である。このような動作モードを設けることで、記録した光ディスクの再生処理の操作性をよくすることが可能となる。
【００５７】
以上、本発明に係る第１実施形態の待機方法によれば、光学ヘッドを未記録領域Ｍ又は記録可能領域Ｋの手前で待機させることで、安定したサーボで待機させることができ、しかも記録処理の迅速な再開を可能とする光ディスク装置及び光ディスク装置の待機方法を提供するものである。
【００５８】
なお、本発明の待機方法は、未記録領域に連続的に記録を行った後の待機方法、２つの情報記録層のどちらにも未記録領域が存在する場合に記録動作が終了した後の待機方法、一度は情報記録が行われた情報記録層に記録を行った後の待機方法、情報の再生動作後の待機方法が少なくとも含まれている。
【００５９】
なお上述した第１実施形態には、片面に１層又は２層の情報記録層を有する場合について述べたが、３層以上の情報記録層を有する場合でも同様の作用効果をもって待機方法を規定することができる。
【００６０】
又、情報の記録又は再生中に、強制的に一時停止命令がシステムコントローラに与えられた場合でも、上記の待機方法における退避動作を行うことで、一時停止命令が解除された後の動作をより安定かつ高速に行うことが可能となる。
【００６１】
＜第２実施形態＞
第２実施形態は、第１実施形態で特定した光ディスク装置において、光学ディスクが未記録領域又は記録可能領域に対して待機する位置は、内周から外周へ記録されるトラック構造の場合には、未記録領域又は記録可能領域の内周側、外周から内周へ記録される場合のトラック構造の場合には、未記録領域又は記録可能領域の外周側に設定される光ディスク装置と光ディスク装置の待機方法を提供するものである。図１２は、本発明に係る第２実施形態である光ディスク装置の光学ヘッドの待機位置の一例を示す図である。
【００６２】
ここで、図１２に示す光ディスクＤは片面に２層の情報記録層を有し、トラック構造がグルーブ構造となっており、第１の情報記録層３は内周から外周へ記録するようなトラック構造であり、第２の情報記録層４は外周から内周へ情報記録するトラック構造となっている光ディスクを対象としている。
【００６３】
このようなディスク構造の光ディスクに記録再生を行う光ディスク装置において、光ディスク装置の構造は、第１実施形態の場合と同様であるので、説明を省略する。又、この光ディスク装置における待機方法も、図１０及び図１１に示した第１実施形態の待機方法のシーケンスと同様となる。
【００６４】
第１実施形態との相違点としては、第２の情報記録層４のトラック構造が、外周から内周へ記録可能な構造となっているため、待機すべき対象のトラックにトラックホールドする際のトラックジャンプ方法が、所定のジャンプ開始位置から外周方向へジャンプして、外周方向の位置で待機する点である。又、このとき、偏心や２つの情報記録層貼り合せの軸ずれの影響を回避するための、上記略アドレスは、境界領域に相当するアドレス（図１２のＡ点）に対して、約０.１mm程度外周側のアドレス（図１２のＢ'点）が与えられ、このアドレスに対して第１の情報記録層３内でステップＳＴ２０に示されるようなアクセス動作が行われることとなる。
【００６５】
目標アドレスに到達後には、第１実施形態と同様に、ステップＳＴ２１に示されるように第２の情報記録層４の所定のアドレス（図１２のＢ点）へレイヤージャンプが行われる。図１２に示すように、第２実施形態においては、第２の情報記録層４に未記録領域Ｍが存在する場合、図１０に示した判断手順に従って、光学スポットが未記録領域Ｍの外周方向へ例えば２トラック分又は２トラック以上だけ離れた位置において待機するものである。
【００６６】
このように、第２実施形態では、光ディスクＤにおいて記録される方向に対応して、トラックジャンプする方向及び光学ヘッドが待機する位置が決定されることを特定するものである。
【００６７】
＜第３実施形態＞
第３実施形態は、第１実施形態で特定した光ディスク装置において、複数の未記録領域が存在する際の待機位置として優先されるべき領域を、グルーブとランドとに記録領域をもつトラック構造の場合において特定した光ディスク装置と光ディスク装置の待機方法を提供するものである。図１３は、本発明に係る第３実施形態である光ディスク装置の光学ヘッドの待機位置の一例を示す図、図１４及び図１５は、第３実施形態の待機方法の一例を説明するためのフローチャート、図１６は、第３実施形態に係る光ディスク装置の一例を示すブロック図である。
【００６８】
第３実施形態において対象とする光ディスクＤは、図１２に示すものであり、グルーブとランドとに記録領域をもつトラック構造を有している。更に、第３実施形態に係る光ディスク装置は、図１６に示すように図１の第１実施形態に係る光ディスク装置とほぼ同等の構造をもっているが、グルーブとランドとを切り替えるための極性切り換え回路２８を更に有しており、システムコントローラ２５の制御下において、補償制御器２０と位置決め誤差検出回路１９とに制御信号を供給して、極性を切り替える点が第１実施形態の光ディスク装置とは異なる。
【００６９】
第３実施形態に係る光ディスクは、図１３に示すように、一般にはグルーブ部１０２が先に記録され、次にランド部１０３への記録が行われることが多い。この場合、待機方法のシーケンスは図１４及び図１５のフローチャートに示すようなものとなる。
【００７０】
以下、図１４及び図１５のフローチャートを用いて第３実施形態の待機方法を詳細に説明する。光ディスクのトラック構造におけるグルーブ部とランド部は、この場合二つの異なる情報記録領域であると考えることができる。このように考えると、図１４及び図１５のシーケンスでは、情報の記録又は再生を行って、システムコントローラ２５で情報記録又は再生動作が終了したと判断した場合（ＳＴ３１）、記録情報管理部２６では現在光学スポットを形成している情報記録層の記録可能領域Ｋと未記録領域Ｍの容量をランド部およびグルーブ部それぞれについて算出する（ＳＴ３２）。又、同時に、現在光学スポットを形成していない情報記録層の記録可能領域Ｋと未記録領域Ｍの容量もランド部およびグルーブ部についてそれぞれ算出しておく（ＳＴ３３）。
【００７１】
この検出結果に応じて、待機位置決定回路２７において、未記録領域Ｍ又は記録可能領域Ｋまで移動が可能かどうかを判断し（ＳＴ３４）、移動できる対象があれば、移動先のアドレスを特定する（ＳＴ３５）。なお、ここで未記録領域Ｍが複数ある場合に、優先順位としては上述したものを使用することができるが、ランド部とグルーブ部とにそれぞれ未記録領域Ｍが存在する場合は、一例として、ランド部を優先するという選択方法が可能であるが、その逆の優先順位とすることも可能である。
【００７２】
更に、移動先の未記録領域Ｍ又は記録可能領域Ｋが存在しなければ、光学ヘッドの現在位置で、光ディスクの起動時であれば、初期位置で光学ヘッドを待機させる（ＳＴ５３）。
【００７３】
待機位置決定回路２７では、現在光学スポットを形成している情報記録層が第１の情報記録層３であり、第１の情報記録層に転送先が存在しているかどうかが判断される（ＳＴ３６）。現在の層であると判断した場合、それがグルーブ部か、ランド部かを判定する（ＳＴ３７）。ここで、グルーブ部に未記録領域が存在すると判定されると、優先的に記録を行うべきグルーブ部の記録領域Ｒと未記録領域Ｍの境界領域から第１の所定のトラック分だけ記録領域側のトラックを目指してジャンプ動作を行う。このジャンプ動作では、ランド部に未記録領域が存在する場合もあるため、現在光学スポットを形成している対象のトラックがランドトラックであった場合（ＳＴ３８）、グルーブトラックに位置決めするよう内周側のグルーブトラックへ極性切換え回路２８でジャンプしトラック位置決めの極性を切換える（ＳＴ３９）。その後、待機のための領域の境界トラックから例えば第２トラック又は第２トラック以上手前に、ジャンプ動作を開始する。又は、記録可能領域Ｋの手前へアクセスする（ＳＴ４０）。その後、アクセスが終了して待機状態となる（ＳＴ４１）。又、ステップＳＴ４２で現在がグルーブでなければ、極性切り換えを行うことなく、待機のための領域の境界トラックから例えば第２トラック又は第２トラック以上手前に、ジャンプ動作を開始する。又は、記録可能領域Ｋの手前へアクセスする（ＳＴ４３）。
【００７４】
一方、ステップＳＴ４２において、グルーブ部には未記録領域Ｍは存在せず、ランド部にのみ未記録領域が存在した場合、ランド部の記録領域Ｒと未記録領域Ｍの境界領域から第１の所定のトラック数分記録済み領域側にあるトラックを目指してジャンプ動作を行い（ＳＴ４３）、待機状態となる（ＳＴ４４）。このジャンプ動作では、グルーブ部には未記録領域Ｍが存在しないので、ジャンプ動作の前にトラック位置決めのための極性を切換える必要はない。ただし、ジャンプ開始時にグルーブトラックにトラック位置決めされている場合、グルーブトラックに換算した場合の第１の所定トラック手前のグルーブトラックに到達した後（ＳＴ４５）、記録済み領域側のランドトラックへ、極性切換え回路２８でジャンプして（ＳＴ４６）、ランドトラックへの位置決めを実現する（ＳＴ４７）。
【００７５】
ジャンプ動作が終了し、記録終了トラックより第１の所定トラック手前の所定のアドレスに到達したことを確認した後、光学スポットは光ディスク１回転ごとに１トラックジャンプすることによってそのトラックにホールドされて待機状態になる。この時の所定トラックは、プッシュプル法やＤＰＰ法によって検出されるトラック位置決め誤差信号が、記録領域Ｒと未記録領域Ｍの境界領域の影響を受けないように決定されることが望ましく、短くは２トラックが適当な値となる。又、このトラックへホールドするためのジャンプ動作は、図１３に示すように記録終了位置に略相当する１トラック内周のアドレス位置で開始される。
【００７６】
このように少なくとも２トラック分の退避動作を行っておけば、記録領域と未記録領域の境界領域に存在するサーボ信号レベル変化の悪影響を回避することができ、安定な待機動作を実現することが可能となる。又、上記した記録動作が終了した位置に、領域のロスなく記録を行う要求がシステムコントローラ２５に与えられたときも、情報の記録に必要で、記録開始領域以前の領域に既に記録された情報をスムースに再生することが可能で、情報記録動作を開始する前に余計な動作を発生させずに高速な記録動作を実現することが可能となる。
【００７７】
又、一方、ステップＳＴ３６において、待機位置決定回路２７における待機すべき情報記録層の選択において、現在の情報記録層とは別の層へ移動すると決定された場合、第１実施形態の場合と同様に、ステップＳＴ４８からＳＴ５２により特定されるレイヤージャンプを行って、とりあえず引込めるトラックにトラック位置決めしてアドレスを取得する（ＳＴ５２）。その後、ステップのＳＴ３７乃至ＳＴ４７の手順と同様な手順によって、光学ヘッドの待機状態に入ることができる。
【００７８】
ここで、光ディスクＤの情報記録層は、所定のゾーンに分割されることがあり、この場合、分割されたゾーン内のグルーブ部もしくはランド部のどちらか一方への記録が終了してからもう一方への記録が開始されることになる。上記した情報記録層の考え方を、各ゾーンごとに適用しても構わない。なお、この第３実施形態では、グルーブ部から記録が行われるとして記述したが、ランド部から記録が行われる構成となっていても構わない。
【００７９】
以上、第３実施形態においては、光ディスクの記録領域がランド部とグルーブ部とに分かれている場合でも、第１実施形態と同様に、未記録領域Ｍ又は記録可能領域Ｋへと光学ヘッドを移動することにより、残った未記録領域Ｍを記録に使用し迅速に信頼性の高い記録処理を行うことができる光ディスク装置及び光ディスク装置の待機方法を提供することができる。
【００８０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００８１】
以上詳述したように本発明によれば、未記録領域と記録領域の境界領域の影響を受けることがなく安定なサーボ動作が実現できると同時に、残った未記録領域Ｍを記録に使用することができ、更に、記録要求が与えられた時、そのままトラックトレースすることにより既に記録された情報を用いて次に記録するために必要な情報を再生することができるので迅速な記録動作の開始を可能とする光ディスク装置及び光ディスク装置の待機方法を提供することができる。
【図面の簡単な説明】
【００８２】
【図１】本発明の第１実施形態に係る光ディスク装置の一例を示すブロック図。
【図２】本発明の第１実施形態に係る光ディスクの一例を示すブロック図。
【図３】本発明に係る第１実施形態である光ディスク装置の光学ヘッド等の配置を示す構成図。
【図４】本発明に係る第１実施形態である光ディスク装置の光学ヘッドの構成図。
【図５】本発明に係る第１実施形態である光ディスク装置の光学ヘッドの待機位置の他の一例を示す図。
【図６】本発明に係る第１実施形態である光ディスク装置の光学ヘッドの待機位置の一例を示す図。
【図７】本発明に係る第１実施形態である光ディスク装置の光学ヘッドの待機位置の他の一例を示す図。
【図８】本発明に係る第１実施形態である光ディスク装置の光学ヘッドの待機位置の他の一例を示す図。
【図９】本発明に係る第１実施形態である光ディスク装置の光学ヘッドの待機位置の他の一例を示す図。
【図１０】本発明に係る第１実施形態の待機方法の一例を説明するためのフローチャート。
【図１１】本発明に係る第１実施形態である光ディスク装置のレイヤージャンプを含む光学ヘッドの待機処理を説明するためのフローチャート。
【図１２】本発明に係る第２実施形態である光ディスク装置の光学ヘッドの待機位置の一例を示す図。
【図１３】本発明に係る第３実施形態である光ディスク装置の光学ヘッドの待機位置の一例を示す図。
【図１４】本発明に係る第３実施形態の待機方法の一例を説明するためのフローチャート。
【図１５】本発明に係る第３実施形態の待機方法の一例を説明するためのフローチャート。
【図１６】本発明の第３実施形態に係る光ディスク装置の一例を示すブロック図。
【符号の説明】
【００８３】
Ｄ…光ディスク、２…スピンドルモータ、３…第１の記録層、４…第２の記録層、５…対物レンズ、６…対物レンズ位置決め機構、７…立上げミラー、８…光学収差補正機構、９…光検出器、１０…光検出部、１１…差分回路、１２…粗位置決め機構、１３…相対変位算出器、１４…基準速度発生回路、１５…速度検出器、１６…増幅器、１７…粗位置決め機構制御回路、１８…アクセス制御回路、１９…誤差検出回路、２０…補償制御器、２１…光学補正機構制御回路、２２…フォーカス機構制御回路、２３…精位置決め機構制御回路、２４…傾き調整機構制御回路、２５…システムコントローラ、２６…記録情報管理部、２７…待機位置決定回路。
【図１】
2005332580.tif 000003
【図２】
2005332580.tif 000004
【図３】
2005332580.tif 000005
【図４】
2005332580.tif 000006
【図５】
2005332580.tif 000007
【図６】
2005332580.tif 000008
【図７】
2005332580.tif 000009
【図８】
2005332580.tif 000010
【図９】
2005332580.tif 000011
【図１０】
2005332580.tif 000012
【図１１】
2005332580.tif 000013
【図１２】
2005332580.tif 000014
【図１３】
2005332580.tif 000015
【図１４】
2005332580.tif 000016
【図１５】
2005332580.tif 000017
【図１６】
2005332580.tif 000018